(57)【特許請求の範囲】
【請求項１】
パレットとパレットの四隅部に着脱自在に取り付ける棚枠支持用支柱とからなり、パレットには、上部デッキボードの四隅部上面に段部を形成するとともに、前記段部内に段部の高さと同じ高さの係合突起を設けてなり、棚枠支持用支柱は、支柱と下端に固着した基板とからなり、前記基板は、前記段部と同じ大きさであって、かつ段部の高さと同じ厚さであり、さらに前記基板には前記係合突起が嵌入する透孔を形成してなり、基板を段部に嵌合させると同時に、係合突起を透孔に嵌入することによって棚枠支持用支柱をパレットの四隅部に着脱自在に取り付けるようにしたことを特徴とする棚枠支持用支柱を備えた荷物運搬用パレット。
【請求項２】
基板の側面の隣接する二面にパレット隅部の桁の外側に当接する位置決め板を下向きに連設したことを特徴とする請求項１に記載の棚枠支持用支柱を備えた荷物運搬用パレット。
【請求項３】
段部内の係合突起と基板の透孔とを複数設けたことを特徴とする請求項１または２に記載の棚枠支持用支柱を備えた荷物運搬用パレット。
【発明の詳細な説明】
【０００１】
【発明の属する技術分野】
この発明は、荷物運搬用パレットに係り、特に積載物の落下を防ぐ棚枠支持用の支柱を着脱自在に取り付けることを可能とする棚枠支持用支柱を備えた荷物運搬用パレットに関する。
【０００２】
【従来の技術】
荷物運搬用のパレットは、今日の一貫輸送には不可欠であり、生産の現場及び物流において広く使用されている。パレットは、例えば、冷凍倉庫内等で使用されるときは、同時にできるだけ沢山のパレットを積み込むことが要求される。このような要求に対応するために、棚枠を支持するための支柱を取り付けたパレットを使用し、この棚枠の上にパレットを積載する方法が行われている。
【０００３】
棚枠支持用支柱を取り付けたパレットの一例として、例えば、実開昭５７−１５４６３５号公報及び実開昭５７−１５６４２８号公報記載のパレットがある。前記実開昭５７−１５４６３５号公報記載のパレットは、四隅部に棚枠支持用支柱の下端部を差し込む縦孔を形成し、支柱下端部に設けた当て板から下方に突設した棒状体を前記縦孔に差し込んで組み立てるようにしたものである。
【０００４】
一方、実開昭５７−１５６４２８号公報記載のパレットは、パレットの四隅部の側面に当接し、支柱差込用筒体を有する部材と、桁の面に当接する部材とからなるアタッチメントを取り付け、前記支柱差込用筒体に支柱の下端部を差し込んで組み立てるようにしたものである。
【発明が解決しようとする課題】
【０００５】
前記実開昭５７−１５４６３５号公報記載のパレットは、支柱がパレットの側面から突出せずパレットの上面内に立設されるから、パレットを横方向に並列したときに支柱同士が当たるとか、荷役作業中に支柱が他の物に衝突するということがない。
【０００６】
しかしながら、当て板が、その厚さ分だけパレット上面から突出し、パレット上面との間に段差を生じさせることになる。この段差があると、積載物を載せたときに不安定であるとともに、滑るという問題がある。また、積載物が段ボール箱の場合には、段差によって段ボールを変形させ、あるいは破損させるおそれがあり、また荷痛みの原因となる。また、支柱を差し込む縦孔を形成するために、通常のパレットとして単独で使用する場合には、前記縦孔を閉じる蓋を取り付けなければならない。そのために、蓋の着脱に手間がかかるばかりでなく、蓋が紛失するおそれがある。
【０００７】
また、実開昭５７−１５６４２８号公報記載のパレットは、四隅部においてもパレットの上面を平滑面とすることができ、荷痛みを防止できるとともに、パレット上面を有効に利用することができる。しかしながら、支柱を取り付けるアタッチメントがパレットの側面から突出しているために、パレットを横方向に並列したときに支柱同士が当たるとか、荷役作業中に支柱が他の物に衝突するという問題がある。また、支柱を立設するには、まずアタッチメントをパレットに取り付けなければならず、その取り付けに手間がかかるばかりでなく、アタッチメントを紛失することなく保管しなければならないという問題がある。
【０００８】
この発明は、かかる現況に鑑みてなされたもので、支柱を取り付けた場合でも、段差をなくし上面を平滑面とすることができるとともに、支柱の取り付けが容易である棚枠支持用支柱を備えた荷物運搬用パレットを提供するものである。
【０００９】
【課題を解決するための手段】
この発明は上記目的を達成するために、次のような構成とした。即ち、この発明に係る棚枠支持用支柱を備えた荷物運搬用パレットは、パレットとパレットの四隅部に着脱自在に取り付ける棚枠支持用支柱とからなり、パレットには、上部デッキボードの四隅部上面に段部を形成するとともに、前記段部内に段部の高さと同じ高さの係合突起を設けてなり、棚枠支持用支柱は、支柱と下端に固着した基板とからなり、前記基板は、前記段部と同じ大きさであって、かつ段部の高さと同じ厚さであり、さらに前記基板には前記係合突起が嵌入する透孔を形成してなり、基板を段部に嵌合させると同時に、係合突起を透孔に嵌入することによって棚枠支持用支柱をパレットの四隅部に着脱自在に取り付けるようにしたことを特徴とする。
【００１０】
また、前記基板には、基板の側面の隣接する二面にパレット隅部の桁の外側面に当接する位置決め板を下向きに連設することが好ましい。そして、段部内の係合突起と基板の透孔は、複数設けることが好ましい。
【００１１】
【発明の実施の形態】
以下に、この発明を図示する実施形態に基づいて詳細に説明する。図１に基づいてパレット全体を説明すると、合成樹脂製パレット１は、上部デッキボード３と下部デッキボード５とを両端部桁７，中間部桁９と図示しない中央部桁によって連結してなる。そして、前記上下デッキボード３，５と四隅の桁７及び中間部桁９で囲まれた空隙をフォーク差込口１０とした四方差パレットを形成している。
【００１２】
上記パレットは、予め桁７，９の中間位置で上下方向に分割して上部品と下部品に成形し、前記分割面を突き合わせ溶着することによって一体に形成することができる。さらに、上部デッキボード３の四隅部には、円筒状支柱１１が下端に固着された固定用枠１３をパレットの隅部に付き当てることによって取り付けられており、円筒状支柱１１の上端は、対角方向においてビーム１５によって連結されている。
【００１３】
前記固定用枠１３を付き当てる上部デッキボード３の四隅部上面には、図２及び図３に示すように、段部１７を形成し、前記段部１７内に係合突起１９が設けられている。段部１７の形状は、後述する固定用枠１３の基板の形状と同じであり、段部１７の高さは、前記基板の厚さと同じである。係合突起１９の高さは、段部１７の高さとほぼ同一である。従って、係合突起１９の上面と、上部デッキボード３の上面とはほぼ同一の平滑面となり、パレットを単独で使用する場合にも積載物が不安定になったり、荷痛みを生じさせることがない。
【００１４】
前記係合突起１９は、固定用枠１３の基板に設けた透孔に挿入される。また、前記係合突起１９は、図示する実施形態では、平面円形状に形成したが、その形状、数及び大きさは任意に決定すればよい。従って、係合突起１９は、平面において、円形、四角形、三角形、アングル等任意に決定し、１個又は複数個形成することができる。
【００１５】
次に、固定用枠１３は、円筒状支柱１１の下端を固着する基板２０の側面の隣接する２つの面にパレットの桁７の外側面に当接する位置決め板２１を下向きに連設してなる。基板２０の隅部に円筒状支柱１１が固着されており、前記係合突起１９が挿入される透孔２３が設けられている。前記透孔２３の形状、数及び大きさは、係合突起１９の形状、数及び大きさに対応して形成される。透孔２３に係合突起１９を嵌入したとき、基板２０の上面と係合突起１９の上面とは、ほぼ同一面となることは上述の通りである。
【００１６】
前記固定用枠１３における位置決め板２１は、図示する実施形態では、平面Ｌ字状に一体に形成したが、角部を切り欠いて分割形成し、桁７の外側面の隣接する二面にそれぞれ当接するように形成してもよい。また、固定用枠１３は、基板２０の透孔２３に係合突起１９を挿入することによって位置決めされるとともに、固定されるから、位置決め板２１は適宜省略することも可能である。
【００１７】
図４は、支柱の他の実施形態を示すもので、円筒状支柱１１に代えてアングル形支柱２５を示す。このように、アングル形支柱２５とした場合には、基板２０の側端縁に沿って固着することができるから、パレットの積載面積を有効に利用することができる。なお、固定用枠１３の構成は、上記実施形態と同じであるから、同一符号を付してその説明は省略する。
【００１８】
尚、支柱の断面形状は、上記実施形態に限定されるものではなく、三角形、四
角形等任意に決定することができる。また、パレットの材質は、特に限定される
ものではないが、合成樹脂、金属が望ましい。
【００１９】
【発明の効果】
この発明は上記のように構成したので、次のような効果を奏することができる。即ち、支柱は、下端部の固定用枠をパレットの四隅に付き当てるだけで取り付けることができるから、組立が簡単であるばかりでなく、確実に固定される。また、基板の上面とデッキボード上面とはほぼ同一面となるから、段差が生じることがない。従って、積載物を安定した状態で輸送、保管ができ、段ボール箱等を損傷させることがない。また、支柱を取り外してパレット単独で使用した場合にも、係合突起の上面とデッキボード上面とはほぼ同一面となるから、積載物を安定させ、積載物である段ボール箱等を損傷することがない。
【図面の簡単な説明】
【図１】  この発明に係るパレットの全体を示す斜視図である。
【図２】  隅部における要部を分解した斜視図である。
【図３】  隅部における要部の組み立て斜視図である。
【図４】  支柱の他の実施形態を示す斜視図である。
【符号の説明】
１：パレット
３：上部デッキボード
５：下部デッキボード
７、９：桁
１０：フォーク差込口
１１：円筒状支柱
１３：固定用枠
１５：ビーム
１７：段部
１９：係合突起
２０：基板
２１：位置決め板
２３：透孔
【図１】
0003842582.tif 000002
【図２】
0003842582.tif 000003
【図３】
0003842582.tif 000004
【図４】
0003842582.tif 000005